(57)【要約】      （修正有）【課題】消臭、保温、冷え取り、吸湿、血行促進、足の裏細胞の若返り等、諸機能を向上させる靴下の中敷きを提供する。【解決手段】足袋と足うら、５本指靴下と足うら、重ね履き靴下と靴下、常時もの靴下と足うら、等いずれの間にも装着できて両面機能がある天然ホタテ貝殻焼成粉入り紙製の構造とする靴下の中敷であって、下段に天然ホタテ貝殻焼成粉を漉き込んだ足型ホタテ和紙シート２と、上段には天然ホタテ貝殻焼成粉を配合した素材が塗布されている凸凹波ダンボール足型紙１と、を張り合わせた。【選択図】図１
0003217839.tif 000002
【実用新案登録請求の範囲】
【請求項１】
足袋と足うら  ５本指靴下と足うら  重ね履き靴下と靴下  何時もの靴下と足うら  等いずれの間にも装着できて両面機能がある  天然ホタテ貝殻焼成粉入り紙製の構造を特長とする靴下の中敷
【請求項２】
下段に天然ホタテ貝殻焼成粉を漉き込んだ足型ホタテ和紙シート  上段には天然ホタテ貝殻焼成粉を配合した素材が塗布されている凸凹波ダンボール足型紙とを張り合わせた構造を特長とした請求項１の靴下の中敷
【請求項３】
張り合わせするホタテ和紙シートはスタンプ印字  や  絵図が印刷出来る構造を特長とした請求項１の靴下の中敷
【請求項４】
張り合わせする糊は香り水  ホタテ水  小麦粉でんぷん  イオン化ミネラル水を加温して練り上げた手造り品を使用した安全な構造を特長とした請求項１の靴下の中敷
【考案の詳細な説明】
【考案の詳細な説明】
【技術分野】
【０００１】  本考案は、靴下の中敷に関するもので。消臭、保温、冷え取り、吸湿、血行促進、足の裏細胞の若返り等、諸機能を向上させる靴下の中敷きに関するものである。寝ている間にも天然ホタテ貝殻焼成粉や、香り油の効果が期待できる身の回り生活品です。
【背景技術】
【０００２】  足うらの踵パツクあるいは、防寒や汗取り、吸湿、通気、消臭、除菌、足のウラ細胞の若返り、等々の効果が期待できる市販品は少くない、靴下の中敷きとしては商品が無い。寝ている間の足パツクには従来品での利用は困難であった。
【考案が解決しようとする課題】
【０００３】靴下の中    足袋  ５本指靴下  スリブーの中も共用できる。多機能を持たせた内敷きを提供する事を目的とする。足うら香りホタテシートは足うらの大きさに合わせて、折り紙しやすい素材にし  何処でも何時でも活用し易くする。寝たままでも活用できる技法の工夫をする。
【課題を解決するための手段】
【０００４】靴下の中敷きを紙材料によって作成した。この中敷き本体には異なる機能を持たせるための二種類の紙で貼り合わせ加工をしている、さらに  機能維持に有効な足うら香りホタテシートの天日干しサイクルにあわせて  香り水  天然ホタテ貝殻焼成粉水の噴霧を組合せた方法を取り入れた。
【考案を実施するための形態】
【０００５】活用において、足うら香りホタテシートには波状紙の上面と下面に微粉天然ホタテ貝殻焼成粉を水性素材に混入させてアルカリ膜を造作した、脱臭促進  ＰＨ１２効果も向上でき和紙の吸水機能を活用できた  香り水。イオン化ミネラル水等と相乗効果もある
【０００６】天日干しスプレーの稀釈水には水溶性イオン化カルシウム５００倍液を使用する。これにより水分子が小さくなり靴下の中敷や足うらへの馴染みがよくなった。
【０００７】足うら香りホタテシート本体と足うら  との接蝕でホタテ貝殻焼成粉効果を持続させる、香り水の噴霧は、雑菌やカビの増殖を抑える作用で水虫予防に効果が期待できる。
【０００８】。
足うら香りホタテシートの張り合わせ加工では  香り水  小麦粉でんぷん  天然ホタテ貝殻焼成粉を配合した糊を使用している。糊と紙での貼り合せ作業は誰がしても安全  清潔であるから高年齢  体の不自由な方  在宅中の方にもお仕事として有望です。足うら香りホタテシートの作成：  ：絵図の作成：ホタテ水洗い等  新しい仕事が期待できる。
【０００９】靴下の中敷である。足うら香りホタテシートの張り合わせホタテ和紙シートで使用する絵図は  町おこしに活用できる  吾が町のスケツチ画をＡ４ホタテ和紙にコピーし１０５Ｘ２９７サイズに分割した紙を２枚作りダンボール足型紙右と左に張り合わせて作成する。
【００１０】吾が町のスケツチ絵図をＡ４紙に印刷したら  来日観光外国の方に販売できる。靴下の中敷：足うら香りホタテシートは靴を脱いだ時に新しく取り替えることで  その場で足化粧に役立つ用品です。我が町のスケツチ絵図の片面には海外サイズの足型図を描くとカツトし易くその場がシート取り替え処、足休み時間になり  足スプレー洗い  足ほぐし出来る
【００１１】取り替え後は一般可燃ゴミとして焼却できる。吾が町のブランド  靴下の中敷き  は旅する  間に旅先で新しく取り替えてゆく  この町あの村で手造りされた靴下の中敷をコレクションして店頭場に集めると周りの紹介なります  靴が集まるところ旅館  温泉場  銭湯食事処の下足場に集積すると靴からの臭いが香りに変わる。
【００１２】香り水の活用例に黄色ブドウ球菌の増殖を抑える機能が痒み対策に期待できる  食べ物の鮮度保持にも役立つ  天日干しに使うスプレー水も同じで除菌できるので。手洗い水としてポケツトに何時も持つのがお勧めです。旅先での食中毒対策として手拭きに活用出来る
【実施例】
【００１３】靴下内部の空間に対するシート面積の割合は１０％程度と想定され足の。臭気除去に充分な効果は期待出来ない  今この足の臭いを消したい時には  スプレー洗でシートの消す力を強化する  それと同時に足  靴の中  の  臭いを拭き取る方法が有効です。【００１４】凸凹が新品で１．５ｍｍ、１日間装着するとその５０％０．８ミリその表面にはＰＨ８が計測される。凸凹面からの足に対するツボ刺激は１日のみ心地よく  天日干しにより、足からの発汗分を吸水する機能が半日くらい続くＩ日２回敷き替えが好ましい。靴下の中敷きが足の汗を吸湿してない時にはサラツ、としている  天日干しするとサラサラ感が戻り．耐用可能日数は天日干し  や  スプレー回数にも依るが１ケ月間に５回目敷き替えくらいが交換の目安となる。雨の日  雪  水場等湿度が高いと靴下も靴の中敷も履き替える【００１５】名前シール  メモ付せんを靴下の中敷に貼る事によって、靴下の所有者を明確化が出来る、個人えの  お知らせ、取り間違い対策になる、靴下と靴下の中敷きが共にある工夫をした保管方法の提案として靴の中に置く方法がある  宿お出る時に靴下の中に敷く
【考案の効果】
【００１６】１、
本考案に係る靴下の中敷は人体に優しいホタテ和紙によって作成した。
機能はホタテ和紙の機能が相乗的に作用している  更に香り油の機能を追加したことで天然の消臭  除菌  機能域が増大した  ペツトの臭い消しにも古来より使用されている。
耐菌性が雑菌に起きないため現状の効果が継続できる。
２  足のウラからの静電気予防効果として  合成靴底  化学繊維靴下と足裏との摩擦により発生する静電気を予防ができる。
３、スプレー素材が身体に接触したり、ミストを吸収しても健康上無害である。  続けて使用しても副作用が起きない素材がある。スプレー香り水の中には天然木に三気圧蒸気で取り出したヒノキチオール含有水もある。
４、自分の足は自分でキレイに足化粧できる、パソコン中  テレビ中  寝ている間に足がキレイになる。ながら足パツク法のおすすめ    パーテイー出会いの場で見せられる生足はお相手さんを引き寄せる隠し技になる  パツク材にローズアロマエキスの一滴入りでバラの香りで足を包む  顔は忘れても香りは忘れない様だ、出会い二度目につなげる技  お付き合いに爽やか足の香り化粧代  ほんの少し投資です
５、作業宿舎、寮に設置された共用下足置場からの臭い対策には足から始めるのが確実、各人の足から発生する小さな臭気の発生量を抑える事で  全体空間を減臭できる    香り水  ホタテ貝殻焼成粉の含水溶液を  足うら香りホタテシートに染み込ませる事によって足ウラの免疫力を活性化させ雑菌  カビ類による臭いトラブルを予防できる。自己治ゆ力の抗菌作用が向上できて生理活性面での効果も増大する。
６、寝ている時に靴下から消臭できる中敷きは共同生活に大切なルール臭い予防に役立マス、安全靴の臭い安心  消防士の御足  調理  ナース  お仕事が出来る条件に
７、足指間は絹５本指靴下との組合せにする  絹は吸臭  放散に優れているから活用すると自分ケアの秘密技になる  ニガリ塩磨きを加えると最高ですほんのり  と桜色に蘇る  フツトケアー技の秘技です。
８、靴下の中敷きでは、長さ調整を折り曲げて出来る。男性用と女性用兼用で２４ｃｍの１サイズだけです。商品は２７ｃｍの羽付ホタテ和紙に、２４ｃｍのピンク色の台紙を貼り付けて素足向きに製作した
どなたでも  足サイズフリー  何時でも使える。
９、天然ホタテ貝殻焼成パウダーには、食べ物を洗う。口の洗いや衣類の洗いに活用法がある。また制限も沢山あって、有望な安価な素材ながら活用例がとても少ない。その中から足に活用した中敷きです。老化は足から止める。歩くことが基本です
１０  歩ける足を育てる１足１５０円  月６足  その他あれこれ３００円およそ１５００円の足美人経費となる  １年間に二万円の足投資となります。
【図面の簡単な説明】
【図１】  足うら香りホタテシート姿図
【図２】  足うら香りホタテシート絵図
【図３】  絵図和紙シート切り抜き寸法図
【図４】  靴下と足うら香りホタテシートの取り合い図
【図５】  足裏ゾーン図
【図６】  足側面ゾーン図
【図７】  中敷  足うら香りホタテシート天日干しサイクル
【符号の説明】１、  片面凸起の足型紙
２、  天然ホタテ貝殻焼成粉入美濃和紙
３、  ２層の張り合わせ図
４、  足うら香りホタテシートの絵図
５、  メモ  付せん
６、  足うら香りホタテシート
７、  足指長さ折り曲げ部
８、  中敷  足うら香りホタテシート  天日干しサイクル表
【図１】
0003217839.tif 000003
【図２】
0003217839.tif 000004
【図３】
0003217839.tif 000005
【図４】
0003217839.tif 000006
【図５】
0003217839.tif 000007
【図６】
0003217839.tif 000008
【図７】
0003217839.tif 000009